(57)【要約】【課題】空気清浄機能付き空気調和機に於いて、パネルが開いただけでも異常と検知し、高圧電源の停止動作を行っていた。【解決手段】空気調和機本体１３に空気清浄機ユニット１５及びパネル１２が取付けられる構造の空気調和機１３において、パネル１２の開閉と異常の検知を誤検知しない手段として制御部２内に時限制御手段３を設け、異常検知手段６に異常を検知してから所定時間内にパネル開閉検知手段４に検知すれば、パネル１２が開いたと判断し、所定時間内に検知しなければ異常と判断することにより誤検知を防止する。【選択図】図１
2005241207.tif 000002
【特許請求の範囲】
【請求項１】
空気調和機本体に空気清浄機ユニット及びパネルが取付けられる構造の空気調和機において、制御部内に時限制御手段を設け、異常検知手段に異常を検知してから所定時間内にパネル開閉検知手段に検知すればパネルが開いたと判断し、所定時間内に検知しなければ異常と判断することを特徴とする空気調和機。
【請求項２】
異常検知手段に異常信号が所定時間入力し続ければ、異常と判断することを特徴とする請求項１記載の空気調和機。
【請求項３】
異常検知手段に異常を検知した場合、高圧電源ユニットの運転を即停止することを特徴とする請求項１記載の空気清浄機付き空気調和機。
【請求項４】
高圧電源ユニットの運転中にパネルの開閉の検知に連動して、高圧電源ユニットの運転及び停止ができることを特徴とする請求項１記載の空気調和機。
【発明の詳細な説明】
【技術分野】
【０００１】
本発明は、空気清浄機を取り付けた空気調和機に関する。
【背景技術】
【０００２】
一般に、空気調和機においては、空気中の埃等を集塵する空気清浄機が、設けられることがある。（例えば、特許文献１参照）。
【０００３】
図３は、従来の空気清浄機付き空気調和機のシステム構成図である。
【０００４】
制御基板１に含まれる制御部２とパネル１２とパネル１２の開閉を検知するパネルスイッチ１１と高圧電源ユニット１４と空気清浄機ユニット１５からなる構成である。パネル１２は、開閉可能なドア構造になっており、パネル１２が閉じたときは空気調和機本体１３に設けられているパネルスイッチ１１がＯＮするしくみになっている。すなわち高圧電源ユニット１４への電源供給は、パネルスイッチ１１を介して制御電源１０により供給されている。つぎにパネル１２が開く時の検知としては、パネル１２が開くとパネルスイッチ１１がＯＦＦし、高圧電源ユニット１４に供給している制御電源１０が供給されなくなる。制御電源１０が供給されない為に、パネル開閉検知手段４と高圧電源ユニット１４との間にあるトランジスタ７が停止し、パネル開閉検知手段４に制御電源９が供給さる。制御電源９がパネル開閉検知手段に供給されることで、制御部２はパネル１２が開いたことを認識する。また、高圧電源ユニット１４自体も制御電源１０が供給されない為に異常と判断し、制御部２内の異常検知手段６にも信号が入力される。上記のパネル開閉検知手段４に信号を検知し、かつ異常検知手段６に信号を検知した時に、パネル１２が開いたと制御部２は判断する。
【０００５】
また、空気清浄機ユニット１５が高圧電源ユニット１４から外れることや、高圧電源ユニット１４や空気清浄機ユニット１５内部の故障等による異常時の検知としても、高圧電源ユニット１４自体から信号が出され、制御部２の異常検知手段６に入り、異常と判断している。
【特許文献１】特開平６−７４４８１号公報
【発明の開示】
【発明が解決しようとする課題】
【０００６】
しかしながら、前記従来の空気調和機では、パネル１２が開いた時は、先にパネル開閉検知手段４に信号が入りかつ異常検知手段６にも信号を検知しないとパネル１２が開いたと判断しない事になっている。例えば、高圧電源ユニット１４等を備えた場合、高圧電源ユニット１４とパネル検知用トランジスタ７との間で少し電荷が残ってしまう。放電要因がないので、パネル開閉検知手段４に制御電源９を送るパネル検知用トランジスタ７を停止するのに時間がかかる。その為、パネル１２が開いたと検知するのに少し時間がかかっていた。同時に高圧電源ユニット１４に制御電源１０が供給されない為、高圧電源ユニット１４自体から異常検知手段６に信号が送られている。上記の理由により、パネル開閉検知手段４より異常検知手段６の方が先に信号が入っていたので高圧電源ユニット１４自体の異常と検知し高圧電源を停止していた。
【０００７】
このように従来の回路構成ではパネルを開いた時でも異常と判断されるという課題を有していた。
【０００８】
ところで、異常検知手段６よりパネル開閉検知手段４の方を先に検知する方法として、
高圧電源ユニット１４とパネル検知用トランジスタ７に発生する電荷の放電要因を設ける為に、制御基板１内に電子部品等の追加を行う方法もあるが、コスト等が増大する。
【０００９】
本発明は、前記従来の課題を解決するものであり、簡単な構成で、パネルが開いた時の検知及び異常の検知を誤検知せず、且つ正常動作が確実に行える空気清浄機能付き空気調和機を提供することを目的とする。
【課題を解決するための手段】
【００１０】
前記従来の課題を解決するために、本発明の空気調和機は、制御部内に時限制御手段を設け、異常の誤検知という不具合を未然に防止し使用者の快適性を確保するものである。
【発明の効果】
【００１１】
本発明の、空気調和機は高圧電源ユニット等を備えた場合に生じるパネル開閉検知手段への検知時間の遅れが発生しても、パネルが開いた時の検知を確実に判断するものであり、誤検知という不具合を回避することが出来る。
【発明を実施するための最良の形態】
【００１２】
第１の発明は、パネルの開閉状態及び高圧電源ユニットの異常を検知する手段として制御部に時限制御手段を設け、高圧電源ユニット自体からの異常を検知してから所定時間内にパネル開閉検知手段に検知すれば、パネルが開いたと判断し、所定時間内に検知しなければ異常と判定することにより、誤検知を未然に防ぐことが出来る。誤検知を防ぐ事により、高圧電源の停止を行わず、本来の姿である正常動作が出来る。これにより、使用者の快適性を低下させず、クレームにつながることもなくなると言う効果がある。
【００１３】
第２の発明は、特に、第１の発明の空気調和機の異常検出端子に異常信号が所定時間入力し続けなければ、異常と判断しないことにより更に確実に誤検知を未然に防ぐことが出来る。
【００１４】
第３の発明は、高圧電源ユニットの異常を検知した場合、高圧電源ユニットの運転をすぐに停止することにより、使用者の安全確保が出来る。
【００１５】
第４の発明は、空気調和機の運転中にパネルの開閉に連動し、高圧電源ユニットの運転・停止を行うことにより、使用者の快適性を低下させない効果がある。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機のシステム構成図を示すものである。
【００１８】
図１において制御基板1の中には、制御部２とパネル開閉検知用トランジスタ７と、空気清浄機の運転停止用トランジスタ８と、制御部に電源を供給する制御電源９と、高圧電源ユニットの制御電源１０と、パネル１２の開閉に連動して高圧電源ユニット１４に電源を供給するパネルスイッチ１１と、高圧電源ユニット１４と、高圧電源ユニット１４に接続されている空気清浄機ユニット１５で構成されている。
【００１９】
制御部２の中には、パネル開閉検知手段４と空気清浄機運転出力手段５と異常検知手段６と時限制御手段３がある。パネル開閉検知手段４と異常検知手段６は信号を受けることにより、時限制御手段３に信号を送信し、時限制御手段３で信号を判断し制御部２で状態
を把握する。また、空気清浄機運転出力手段５は、空気清浄機運転停止用トランジスタ８を介して高圧電源ユニット１４の運転停止を行っている。
【００２０】
以上のように構成された空気清浄機能付き空気調和機について、以下その動作、作用を説明する。
【００２１】
まず、高圧電源ユニット１４の運転中にパネル１２が開いた時パネルスイッチ１１が開く状態となり、高圧電源ユニット１４への制御電源１０が遮断され、高圧電源ユニット１４は運転を停止する。停止とともに高圧電源ユニット１４からパネル検知用トランジスタ7を介してパネル開閉検知手段４に信号が送られる。同時に高圧電源ユニット１４から異常検知手段６にも信号が入力される。
【００２２】
送られた信号はパネル開閉検知手段４と異常検知手段６を通り時限制御手段３に送られる。時限制御手段３では、異常検知手段６より信号が送られてきても即に異常と判断せず、所定時間にパネル開閉検知手段４より信号を検知すればパネル１２が開いたと判断し、所定時間にパネル開閉端子４より信号を検知しなければ、異常と判断する。このように時限制御手段３を設けることにより、制御部２の誤検知という不具合をなくすことが出来る。また誤検知しないことにより本来の姿である正常動作を行うことが出来る。
【００２３】
図２は以上の制御のフローチャートである。
【００２４】
まず、最初にＳ１で空気調和機本体１３に電源が入る。次にＳ２で制御電源９、１０が供給される。次にＳ３で高圧電源ユニット１４の運転信号が入り、Ｓ４のパネル１２が閉じている状態でかつＳ５の異常信号が無い場合は、Ｓ６で高圧電源ユニット１４が運転する。
【００２５】
この基本動作（Ｓ３〜Ｓ６）を繰り返し異常の検知を行っている。例えば、高圧電源ユニット１４が動作中にパネル１２が開けば、Ｓ８で高圧電源ユニット１４が停止する。次にＳ９でパネル１２が閉じて、かつＳ３で高圧電源ユニット１４の運転信号があればＳ６で再び高圧電源ユニット１４が動作する。また、高圧電源ユニット１４の異常により、Ｓ５で異常検知手段６に信号が入れば、Ｓ１０で高圧電源ユニット１４が停止する。このとき、Ｓ１１で所定時間内にパネル開閉検知手段４に信号が入ればパネル１２が開いたと判断し、Ｓ９でパネル１２が閉じられるまで高圧電源ユニット１４の運転待ちを行う。また、Ｓ１２で所定時間内にパネル開閉検知手段４に信号が入らなければ、高圧電源ユニット１４の異常と判断する。また、異常と判断されればＳ１３で異常回数のカウントを行う。次にＳ１４で異常カウント回数が所定回数以下であれば、Ｓ１５で高圧電源ユニット１４の運転を所定時間だけ停止を行う。停止の終了後、高圧電源ユニット１４の運転信号があれば、Ｓ３に戻り基本動作を繰り返す制御になっている。そして異常カウントを所定回数カウントすると、全停止し、Ｓ１６で異常表示を行う。
【００２６】
また、本実施の形態では、異常検知手段６に異常信号が所定時間入力し続ければ、異常と判断することにより、誤検知を防ぐ事が出来る。
【００２７】
また、本実施の形態では、異常検知した場合、需用者の安全性を確保するため高圧電源ユニット１４の運転を即に停止を行うものである。
【００２８】
また、本実施の形態では、空気調和機１３の運転中にパネル１２の開閉に連動し、高圧電源ユニットの運転及び停止を行うものである。
【産業上の利用可能性】
【００２９】
以上のように、本発明にかかる空気調和機は、パネル１２が開いた時に異常検知せずに、パネルの開いたことを検知することにより誤検知を未然に防ぐ事が出来るので、空気清浄機能付き空気調和機として有用である。
【図面の簡単な説明】
【００３０】
【図１】本発明の実施の形態１における空気調和機のシステム構成図
【図２】本発明の実施の形態１における空気調和機のフローチャート
【図３】従来の空気調和機のシステム構成図
【符号の説明】
【００３１】
１  制御基板
２  制御部
３  時限制御手段
４  パネル検知手段
５  空気清浄機の運転出力手段
６  高圧電源ユニットの異常検知手段
７  パネル検知入力用トランジスタ
８  空気清浄機の運転停止出力用トランジスタ
９  制御電源
１０  制御電源
１１  パネルスイッチ
１２  パネル
２３  空気調和機本体
１４  高圧電源ユニット
１５  空気清浄機ユニット
【図１】
2005241207.tif 000003
【図２】
2005241207.tif 000004
【図３】
2005241207.tif 000005